(57)【要約】      （修正有）【課題】組立工数を削減することができるとともに、摩耗による品質劣化が起こりにくい排水ホース構成を備えた洗濯機を提供する。【解決手段】外箱内に収容された水槽と、水槽内に回転可能に取り付けられた洗濯槽と、水槽内に溜められた水を下方へ排出する排水弁と、排水弁から排水された水を外箱周壁から機外へ導出するための排水ホース３４と、排水弁と排水ホース３４とを接続するＬ字状のエルボ部３０とを備え、エルボ部３０が排水ホース３４に着脱可能に接続されていることを特徴とする。【選択図】図２
2011000316.tif 000002
【特許請求の範囲】
【請求項１】
外箱内に収容された水槽と、前記水槽内に回転可能に取り付けられた洗濯槽と、前記水槽内に溜められた水を下方へ排出する排水弁と、前記排水弁から排水された水を外箱周壁から機外へ導出するための排水ホースと、前記排水弁と前記排水ホースとを接続するＬ字状のエルボ部とを備え、前記エルボ部が前記排水ホースに着脱可能に接続されていることを特徴とする洗濯機。
【請求項２】
前記エルボ部には、下方に延出する異物貯留部が設けられていることを特徴とする請求項１に記載の洗濯機。
【請求項３】
前記エルボ部には、水槽上部に設けられた溢水部に流入した水を機外に排出する溢水経路を接続する溢水流入口が設けられていることを特徴とする請求項１又は２に記載の洗濯機。
【発明の詳細な説明】
【技術分野】
【０００１】
本発明は、組立工数を削減することができるとともに、排水ホースの耐久性を向上させた洗濯機に関する。
【背景技術】
【０００２】
従来、洗濯槽内に溜められた水を排出するための排水弁と、この排水弁に接続された可撓性の排水ホースとを具備する洗濯機において、ヒンジ式に開閉可能な一対の保持片で構成された保持部材によって排水ホースをエルボ状に曲げて保持する洗濯機が提案されている（例えば、特許文献１参照）。
【先行技術文献】
【特許文献】
【０００３】
【特許文献１】特開平１０−２８７９９号公報
【発明の概要】
【発明が解決しようとする課題】
【０００４】
上記の洗濯機では、脱水運転時の振動によって保持部材が排水ホースを保持している部分で摩耗するのを抑えるため、排水ホースと保持部材との間にフッ素樹脂テープを介在させることがある。
【０００５】
しかしながら、排水ホースと保持部材との間にフッ素樹脂テープを介在させた場合、組立工数が増加する問題があるとともに、フッ素樹脂テープにより排水ホースが保持部材に対して摺動性し易くなるため、品質が安定しにくいという問題がある。
【０００６】
また、乾燥運転時など保持部材が高温に加熱されると、一対の保持片を閉止する閉止部が緩み、排水ホースが保持部材と擦れやすくなったり、前記閉止部による閉止が解除され保持部材が排水ホースから外れるおそれがあり問題である。
【０００７】
本発明は上記問題を考慮してなされたものであり、組立工数を削減することができるとともに、摩耗などによる品質劣化が起こりにくい排水ホース構成を備えた洗濯機を提供することを目的とする。
【課題を解決するための手段】
【０００８】
本発明に係る洗濯機は、外箱内に収容された水槽と、前記水槽内に回転可能に取り付けられた洗濯槽と、前記水槽内に溜められた水を下方へ排出する排水弁と、前記排水弁から排水された水を外箱周壁から機外へ導出するための排水ホースと、前記排水弁と前記排水ホースとを接続するＬ字状のエルボ部とを備え、前記エルボ部が前記排水ホースに着脱可能に接続されていることを特徴とする。
【発明の効果】
【０００９】
本発明の洗濯機では、上記構成により、組立工数を削減することができるとともに、摩耗による品質劣化が起こりにくい。
【図面の簡単な説明】
【００１０】
【図１】本発明の一実施形態に係る洗濯機の縦断面図である。
【図２】本発明の一実施形態に係る洗濯機の要部を示す断面図である。
【図３】本発明の第１変更例に係る洗濯機の縦断面図である。
【図４】本発明の第１変更例に係る洗濯機の要部を示す断面図である。
【図５】本発明の第２変更例に係る洗濯機の要部を示す断面図である。
【発明を実施するための形態】
【００１１】
以下、本発明の一実施形態について、図面を参照して説明する。
【００１２】
本実施形態に係る洗濯機Ａは、図１に示すように、縦軸型の洗濯機であって、矩形筒状の外箱１と、外箱１の上部に装着されたトップカバー２とにより、洗濯機Ａの外殻が形成されている。外箱１の内部には、槽４が配設されている。
【００１３】
槽４は、水槽５と、この水槽５内に配設された洗濯槽６との二重槽から構成されている。水槽５と洗濯槽６は、共に有底円筒状をなしていて、それぞれの中心軸が上下方向に指向する縦軸状に配置されている。水槽５は、貯水が可能な構成となっており、弾性吊持機構７を介して外箱１に弾性的に支持されている。洗濯槽６は、水槽５内に回転可能に収容されていて、周壁部に多数の透孔８を有している。
【００１４】
洗濯槽６内の底部には、パルセータ１０が回転可能に配設され、パルセータ１０の回転軸の周りに通水口２４が穿設されている。水槽５の外底部には駆動装置１１が配設されている。この駆動装置１１は、正逆回転可能なモータとクラッチ機構を備えており、クラッチ機構を切り換えることで、洗い及びすすぎ時にパルセータ１０を回転させ、脱水時に洗濯槽６を回転させるように、パルセータ１０と洗濯槽６とを選択的に回転駆動する構成となっている。
【００１５】
水槽５の底部には、排水口２５が形成され、この排水口２５に排水弁２６が接続されている。排水口２５から流入する洗濯槽６内の水を図示しない弁体の開放により出口部２７から下方へ排出する。
【００１６】
排水弁２６の出口部２７にはエルボ部３０と排水ホース３４とを順次接続している。
【００１７】
エルボ部３０は、例えば、コム材からなるＬ字状のインジェクション成形であり、エルボ部３０の上流側端部３０ａに排水弁２６の出口部２７を接続するための排水接続部４０が設けられている。
【００１８】
排水接続部４０には、図２に示すように、その内周面に接着剤４１を塗布して、該排水接続部４０を排水弁２６の出口部２７に嵌着し、その上から締付リング４５で締付ける構造を採用している。又、排水接続部４０には接着剤溜部として機能する一対の膨出部４２，４３と、この膨出部４２，４３の間に直状部４４とが形成され、直状部４４の外周部を締付リング４５で締付けることで、エルボ部３０が排水弁２６の出口部２７に固定されている。
【００１９】
排水ホース３４は、可撓性を有する機内側排水ホース３５と機外側排水ホース３６とを備え、機内側排水ホース３５の一端部が機内ホース継手３７を介してエルボ部３０の下流側端部３０ｂに着脱可能に接続され、機内側排水ホース３５の他端部が外箱周壁１ａ下端部に配設されたホース導出口３８より機外へ延出しており、この延出部において機外側排水ホース３６が機内側排水ホース３５に接続されている。
【００２０】
上記した本実施形態の洗濯機Ａでは、洗い運転終了後に行われる脱水行程において、排水弁２６が開放することで洗濯槽６内部の洗濯水が、排水弁２６、エルボ部３０、及び排水ホース３４を介して機外へ排出される。
【００２１】
上記した本実施形態の洗濯機Ａによれば、下記の効果を奏する。すなわち、エルボ部３０は、上流側端部３０ａが下流側端部３０ｂより高く、しかも、下流側端部３０ｂが機外側排水ホース３６側に向かって漸次低くなるように傾斜している。そのため、残水することなく洗濯水を機外へ排水することができる。
【００２２】
エルボ部３０はＬ字状に成形されており、Ｌ字形状に保持するための保持部材を必要としないので、排水弁２６から排出される洗濯水を機外へ排水するホースに、摩耗を防止するテープを配設する必要が無く、組立工数を削減することができる。
【００２３】
また、エルボ部３０が排水ホース３４に着脱可能に接続されているため、外箱１の大きさが異なる洗濯機であっても、機内側排水ホース３５を変更することで、エルボ部３０を共通して使用することができ、コストダウンが可能となる。
【００２４】
次に、本実施形態の第１変更例について、図３、４を参照して説明する。上記した実施形態と同一又は対応する要素には同一符号を付し、重複する説明は省略する。本変更例の洗濯機Ａは、エルボ部３０に溢水ホース１５が接続されている点が、上記実施形態の洗濯機と相違する。
【００２５】
詳細には、図３に示すように、水槽５の上部には、溢水口部１３と溢水受部１４と溢水ホース１５とを備えた溢水部１６が設けられている。溢水口部１３は、洗い数位（高水位）より高い位置に水槽５に穿設された開口部であって、水槽５とその外側に配設された溢水受部１４とを連通する。溢水受部１４には溢水ホース１５の一端部が接続され、水槽５より溢れ出た水を溢水受部１４で受けて溢水ホース１５より流出させる。
【００２６】
また、エルボ部３０には、図４に示すように、溢水接続部３９が分岐して設けられており、溢水ホース１５の他端部が接続されている。
【００２７】
このような第１変更例の洗濯機Ａでは、エルボ部３０に溢水ホース１５を接続するための溢水接続部３９が設けられているため、排水弁２６に溢水ホース１５を接続する場合に比べ、排水弁２６の構造を簡素化することができ、製造コストを抑えることができる。
【００２８】
次に、本実施形態の第２変更例について、図５を参照して説明する。上記した実施形態と同一又は対応する要素には同一符号を付し、重複する説明は省略する。本変更例の洗濯機Ａは、エルボ部３０に異物貯留部５０が接続されている点が、上記実施形態の洗濯機と相違する。
【００２９】
詳細には、図５に示すように、排水接続部４０より下方に延びる筒部５１がエルボ部３０から分岐して設けられている。筒部５１は、エルボ部３０の下流側端部３０ｂより低い位置まで延設され、筒部５１の下端開口部がキャップ５２により閉塞されている。キャップ５２は、筒部５１の外周部に外方に向かって突出する環状の突起５３に係合することで固定される。
【００３０】
このような第２変更例の洗濯機Ａでは、エルボ部３０には排水接続部４０の下方に配置され異物貯留部５０が設けられているため、洗濯槽６からの排水に硬貨などの異物が紛れ込んだ場合であっても、該異物を異物貯留部５０に滞留させ排水から除去することができる。
【符号の説明】
【００３１】
１…外箱 １ａ…周壁 ５…水槽
６…洗濯槽 ２５…排水口 ２６…排水弁
２７…出口部 ３０…エルボ部 ３０ａ…上流側端部
３０ｂ…下流側端部 ３４…排水ホース ３７…機内ホース継手
３８…連結部 ３９…溢水接続部 ４０…排水接続部
４１…接着剤 ４２…膨出部 ４３…膨出部
４４…直状部 ４５…締付リング
【図１】
2011000316.tif 000003
【図２】
2011000316.tif 000004
【図３】
2011000316.tif 000005
【図４】
2011000316.tif 000006
【図５】
2011000316.tif 000007